(57)【要約】      （修正有）【課題】固定無線局を経由するルートがあっても受信音声の明瞭度の良い無線局を自動的に選択することができる無線局自動選択装置を提供する。【解決手段】無線局自動選択装置１０は、第１乃至第３の音声信号Ｓ1〜Ｓ3の音声帯域周波数よりも高い周波数成分である雑音成分のレベルＬ1〜Ｌ3をそれぞれ検出するための雑音レベル検出手段として機能する第１乃至第３のハイパスフィルタ１１1〜１１3および第１乃至第３の整流回路１２1〜１２3と、雑音レベル検出手段によって検出された第１乃至第３の音声信号Ｓ1〜Ｓ3の雑音成分のレベルＬ1〜Ｌ3に基づいて第１乃至第３の音声信号Ｓ1〜Ｓ3のうち明瞭度が最も良い１つの音声信号を選択して、選択した１つの音声信号を無線制御電話機２に出力する音声信号選択手段として機能する雑音レベル比較回路１３および音声信号選択回路１４とを具備する。【選択図】図１
2013026908.tif 000002
【特許請求の範囲】
【請求項１】
受信入力レベルが常に一定である固定無線局（４）を含む複数の無線局（３1〜３3，４）を介して移動無線機（２）との間で通話を行う無線制御電話機（５）に使用するための無線制御電話機用無線局自動選択装置（１０；２０）であって、
前記複数の無線局からの周波数変調信号を復調してそれぞれ得られた複数の音声信号（Ｓ1〜Ｓ3）の音声帯域周波数よりも高い周波数成分である雑音成分のレベル（Ｌ1〜Ｌ3；Ｌ1L〜Ｌ3L，Ｌ1H〜Ｌ3H）をそれぞれ検出するための雑音レベル検出手段（１１1〜１１3，１２1〜１２3；２１1L〜２１3L，２１1H〜２１3H，２２1L〜２２3L，２２1H〜２２3H）と、
該雑音レベル検出手段によって検出された前記複数の音声信号の雑音成分のレベルに基づいて、該複数の音声信号のうち明瞭度が最も良い１つの音声信号を選択して、該選択した１つの音声信号を前記無線制御電話機に出力する音声信号選択手段（１３，１４；２３，２４）と、
を具備することを特徴とする、無線制御電話機用無線局自動選択装置。
【請求項２】
前記雑音レベル検出手段が、
前記複数の音声信号の雑音成分をそれぞれ通過させる複数のハイパスフィルタ（１１1〜１１3）と、
該複数のハイパスフィルタをそれぞれ通過した前記複数の音声信号の雑音成分のレベル（Ｌ1〜Ｌ3）をそれぞれ求める複数の整流回路（１２1〜１２3）とを備え、
前記音声信号選択手段が、
前記複数の音声信号のうちの１つを選択する音声信号選択回路（１４）と、
前記複数の整流回路から入力される前記複数の音声信号の雑音成分のレベルを比較して雑音成分のレベルが最も小さいものを求め、前記複数の音声信号のうち雑音成分のレベルが最も小さい音声信号を前記音声信号選択回路に選択させる雑音レベル比較回路（１３）とを備える、
ことを特徴とする、請求項１記載の無線制御電話機用無線局自動選択装置。
【請求項３】
前記雑音レベル検出手段が、
前記複数の音声信号の雑音成分の低域側雑音成分をそれぞれ通過させる複数の低域側バンドパスフィルタ（２１1L〜２１3L）と、
前記複数の音声信号の雑音成分の高域側雑音成分をそれぞれ通過させる複数の高域側バンドパスフィルタ（２１1H〜２１3H）と、
前記複数の低域側バンドパスフィルタをそれぞれ通過した前記複数の音声信号の低域側雑音成分のレベル（Ｌ1L〜Ｌ3L）をそれぞれ求める複数の低域側整流回路（２２1L〜２２3L）と、
前記複数の高域側バンドパスフィルタをそれぞれ通過した前記複数の音声信号の高域側雑音成分のレベル（Ｌ1H〜Ｌ3H）をそれぞれ求める複数の高域側整流回路（２２1H〜２２3H）とを備え、
前記音声信号選択手段が、
前記複数の音声信号のうちの１つを選択する音声信号選択回路（２４）と、
前記複数の低域側整流回路から入力される前記複数の音声信号の低域側雑音成分のレベルおよび前記複数の高域側整流回路から入力される前記複数の音声信号の高域側雑音成分のレベルに基づいて前記複数の音声信号のうち明瞭度が最も良い１つの音声信号を検出し、該検出した１つの音声信号を前記音声信号選択回路に選択させる雑音レベル比較回路（２３）とを備える、
ことを特徴とする、請求項１記載の無線制御電話機用無線局自動選択装置。
【請求項４】
前記雑音レベル比較回路が、
前記複数の音声信号のうち低域側雑音成分のレベルと高域側雑音成分のレベルとがほぼ等しくかつ低域側雑音成分のレベルが最も小さい音声信号を前記明瞭度が最も良い１つの音声信号と選択し、
前記複数の音声信号のうち低域側雑音成分のレベルと高域側雑音成分のレベルとがほぼ等しい音声信号がない場合には、低域側雑音成分のレベルが最も小さい音声信号を前記明瞭度が最も良い１つの音声信号と選択する、
ことを特徴とする、請求項３記載の無線制御電話機用無線局自動選択装置。
【発明の詳細な説明】
【技術分野】
【０００１】
本発明は、無線制御電話機用無線局自動選択装置に関し、特に、移動無線機との間で複数の無線局を介して通話を行う無線制御電話機に使用するのに好適な無線制御電話機用無線局自動選択装置に関する。
【背景技術】
【０００２】
電力会社の電力所や営業所などの事業所では、無線制御電話機５を使用して、移動無線機２（移動無線局）との間で複数の無線局（第１乃至第３の無線基地局３1〜３3および無線固定局４）を介して通話を行っている（図２参照）。
このような無線制御電話機５は、通話を行う通話選択スイッチおよびモニタを行うモニタ選択スイッチを複数個備えており、担当者（無線使用者）は、ハンドセットを上げ、通話を行う通話選択スイッチを押して通話選択スイッチランプを点灯させたのち、ハンドセットのプレスボタンを押すことにより、選択した通話選択スイッチに対応する移動無線機２との間で通話することができ、受信する際にはハンドセットのプレスボタンを離すようにされている。
また、担当者がハンドセットを下ろすと、通話選択スイッチランプが消灯してモニタ選択スイッチランプが点灯するようにされている。モニタを行う際には、担当者がモニタ選択スイッチを押して、モニタ選択スイッチランプを点灯させる。
【０００３】
したがって、通話をする際には、担当者は、ハンドセットを上げて、ハンドセットのプレススイッチを押しながら呼出しを行ったのち、プレススイッチを押している間は音声信号を受信することができないため、送話が終了次第プレススイッチを離して応答を待つ。
また、移動無線機２からの呼出しがあった場合には、無線制御電話機５の着信ランプが点灯し、モニタ選択されているとスピーカーから呼出し音声が発生されるので、担当者は、ハンドセットを上げて、呼出しがあった移動無線機２の通話選択スイッチを押したのち、ハンドセットのプレスボタンを押しながら応答する。
【０００４】
なお、下記の特許文献１には、音声信号の周波数特性を維持しつつ雑音を抑えることができるように、ノイズ帯域フィルターが、Ｒ／Ｆモジュールからの復調信号の中から音声帯域の周波数以外の参照ノイズ帯域の周波数を抽出し、整流検波回路が、参照ノイズ帯域の信号の平均値を検出してノイズフィルターコントロール回路に出力し、ノイズフィルターコントロール回路が、入力した平均値に基づいて音声帯域中の雑音の大きさを類推し、電話音声系回路への音声信号の通過特性を調整する、無線通話機の雑音低減装置が開示されている。
【０００５】
また、下記の特許文献２には、上位局優先の受信回線接続機能では移動局の位置により上位局の受信電界レベルがフェージングによって変動し確実な接続ができないことや電界の高い基地局での接続ができないという欠点を除去することによりデータ伝送の回線品質を向上させるように、着信したら基地局に対しＨレベル局（受信レベルがＨレベルの基地局）のみ受信回線接続指示を行うことと、移動局の在線を管理している運行管理装置と連動し、移動局からの列車ＩＤ伝送を行うことで発呼した列車の位置を自動照合し、送信基地局を自動選択する無線基地局接続方式が開示されている。
【先行技術文献】
【特許文献】
【０００６】
【特許文献１】特開平５−３４４０１０号公報
【特許文献２】特開２００４−４８３２５号公報
【発明の概要】
【発明が解決しようとする課題】
【０００７】
しかしながら、移動無線機２から複数の無線局を介して着信があった場合には、担当者は着信と同時に該当の通話選択スイッチを押して受信音声の明瞭度の良い無線局を選択することができないため、モニタしているすべての無線局からの音声が無線制御電話機５のスピーカーから発せられることになる。そのため、ある無線局について受信入力レベル（着信レベル）が低いなどの理由によりスピーカーからの音声に雑音が入っていたり断続したりしている場合には、このような音声も混ざってスピーカーから発せられるため、明瞭度が悪く聞こえるという問題があるとともに、無線制御電話機５の周囲にいる他の担当者も雑音交じりの音声が聞こえて業務に集中できないという問題があった。
【０００８】
このような問題の解決方法としては、受信音声の明瞭度が悪い無線局のモニタ選択スイッチを切り、受信音声の明瞭度の良い無線局のみモニタすればよいが、担当者がモニタ選択スイッチの切分けを行って受信音声の明瞭度の良い無線局の選択する必要が生じ、着信中の短時間で確実に受信音声の明瞭度の良い無線局を選択することは難しいという問題がある。
【０００９】
また、上記の特許文献２に開示された無線基地局接続方式のように受信入力レベルの高い無線局を自動選択する方法も考えられるが、山上などに設置された無線基地局と固定無線局を経由して通信する場合には、固定無線局からの受信入力レベルは常に一定であるため、このような方法を適用することはできないという問題がある。
【００１０】
本発明の目的は、固定無線局を経由するルートがあっても受信音声の明瞭度の良い無線局を自動的に選択することができる無線制御電話機用無線局自動選択装置を提供することにある。
【課題を解決するための手段】
【００１１】
本発明の無線制御電話機用無線局自動選択装置は、受信入力レベルが常に一定である固定無線局（４）を含む複数の無線局（３1〜３3，４）を介して移動無線機（２）との間で通話を行う無線制御電話機（５）に使用するための無線制御電話機用無線局自動選択装置（１０；２０）であって、前記複数の無線局からの周波数変調信号を復調してそれぞれ得られた複数の音声信号（Ｓ1〜Ｓ3）の音声帯域周波数よりも高い周波数成分である雑音成分のレベル（Ｌ1〜Ｌ3；Ｌ1L〜Ｌ3L，Ｌ1H〜Ｌ3H）をそれぞれ検出するための雑音レベル検出手段（１１1〜１１3，１２1〜１２3；２１1L〜２１3L，２１1H〜２１3H，２２1L〜２２3L，２２1H〜２２3H）と、該雑音レベル検出手段によって検出された前記複数の音声信号の雑音成分のレベルに基づいて、該複数の音声信号のうち明瞭度が最も良い１つの音声信号を選択して、該選択した１つの音声信号を前記無線制御電話機に出力する音声信号選択手段（１３，１４；２３，２４）とを具備することを特徴とする。
ここで、前記雑音レベル検出手段が、前記複数の音声信号の雑音成分をそれぞれ通過させる複数のハイパスフィルタ（１１1〜１１3）と、該複数のハイパスフィルタをそれぞれ通過した前記複数の音声信号の雑音成分のレベル（Ｌ1〜Ｌ3）をそれぞれ求める複数の整流回路（１２1〜１２3）とを備え、前記音声信号選択手段が、前記複数の音声信号のうちの１つを選択する音声信号選択回路（１４）と、前記複数の整流回路から入力される前記複数の音声信号の雑音成分のレベルを比較して雑音成分のレベルが最も小さいものを求め、前記複数の音声信号のうち雑音成分のレベルが最も小さい音声信号を前記音声信号選択回路に選択させる雑音レベル比較回路（１３）とを備えてもよい。
前記雑音レベル検出手段が、前記複数の音声信号の雑音成分の低域側雑音成分をそれぞれ通過させる複数の低域側バンドパスフィルタ（２１1L〜２１3L）と、前記複数の音声信号の雑音成分の高域側雑音成分をそれぞれ通過させる複数の高域側バンドパスフィルタ（２１1H〜２１3H）と、前記複数の低域側バンドパスフィルタをそれぞれ通過した前記複数の音声信号の低域側雑音成分のレベル（Ｌ1L〜Ｌ3L）をそれぞれ求める複数の低域側整流回路（２２1L〜２２3L）と、前記複数の高域側バンドパスフィルタをそれぞれ通過した前記複数の音声信号の高域側雑音成分のレベル（Ｌ1H〜Ｌ3H）をそれぞれ求める複数の高域側整流回路（２２1H〜２２3H）とを備え、前記音声信号選択手段が、前記複数の音声信号のうちの１つを選択する音声信号選択回路（２４）と、前記複数の低域側整流回路から入力される前記複数の音声信号の低域側雑音成分のレベルおよび前記複数の高域側整流回路から入力される前記複数の音声信号の高域側雑音成分のレベルに基づいて前記複数の音声信号のうち明瞭度が最も良い１つの音声信号を検出し、該検出した１つの音声信号を前記音声信号選択回路に選択させる雑音レベル比較回路（２３）とを備えてもよい。
前記雑音レベル比較回路が、前記複数の音声信号のうち低域側雑音成分のレベルと高域側雑音成分のレベルとがほぼ等しくかつ低域側雑音成分のレベルが最も小さい音声信号を前記明瞭度が最も良い１つの音声信号と選択し、前記複数の音声信号のうち低域側雑音成分のレベルと高域側雑音成分のレベルとがほぼ等しい音声信号がない場合には、低域側雑音成分のレベルが最も小さい音声信号を前記明瞭度が最も良い１つの音声信号と選択してもよい。
【発明の効果】
【００１２】
本発明の無線制御電話機用無線局自動選択装置は、以下に示す効果を奏する。
（１）受信音声の明瞭度の良い無線局を自動的に選択できるため、担当者はスムースに明瞭度の良い音声を聞きながら無線制御電話機を使用して通話することができる。
（２）周囲にいる他の担当者も雑音交じりの音声を聞くことがなくなるため、業務に集中することができる。
【図面の簡単な説明】
【００１３】
【図１】本発明の第１の実施例による無線制御電話機用無線局自動選択装置１０の構成を示す図である。
【図２】図１に示した無線制御電話機用無線局自動選択装置１０の構成および動作について説明するための図である。
【図３】本発明の第２の実施例による無線制御電話機用無線局自動選択装置２０の構成について説明するための図である。
【図４】図３に示した無線制御電話機用無線局自動選択装置２０が具備する雑音レベル比較回路２３の動作について説明するための図である。
【発明を実施するための形態】
【００１４】
上記の目的を、複数の無線局から受信した複数の音声信号の雑音成分のレベルに基づいて明瞭度が最も良い１つの音声信号を選択して、選択した１つの音声信号を無線制御電話機に出力することにより実現した。
【実施例１】
【００１５】
以下、本発明の無線制御電話機用無線局自動選択装置の実施例について図面を参照して説明する。
本発明の第１の実施例による無線制御電話機用無線局自動選択装置１０（以下、「無線局自動選択装置１０」と称する。）について、図２に示すように、事業所１に設置された無線制御電話機５が、第１の無線基地局３1を経由したルートと第３の無線基地局３3および無線固定局４を経由したルートと第２の無線基地局３2を経由したルートとの３つのルートで移動無線機２との間で通話可能な場合を例として説明する。
【００１６】
事業所１に設置された無線局自動選択装置１０は、図１に示すように、第１乃至第３のハイパスフィルタ（ＨＰＦ）１１1〜１１3と、第１乃至第３の整流回路１２1〜１２3と、雑音レベル比較回路１３と、音声信号選択回路１４とを具備する。
【００１７】
ここで、第１のハイパスフィルタ１１1は、第１の無線基地局３1からの受信信号（周波数変調信号）を復調して得られた第１の音声信号Ｓ1（周波数帯域０〜１２ｋＨｚ。以下同様。）の雑音成分（音声帯域周波数３００Ｈｚ〜３ｋＨｚよりも高い周波数成分（たとえば、３．５ｋＨｚ以上の周波数の成分）。以下同様。）を通過させるためのものである。
同様に、第２のハイパスフィルタ１１2は、無線固定局４からの受信信号（周波数変調信号）を復調して得られた第２の音声信号Ｓ2の雑音成分を通過させるためのものである。
また、第３のハイパスフィルタ１１3は、第２の無線基地局３2からの受信信号（周波数変調信号）を復調して得られた第３の音声信号Ｓ3の雑音成分を通過させるためのものである。
【００１８】
第１の整流回路１２1は、第１のハイパスフィルタ１１1を通過した第１の音声信号Ｓ1の雑音成分を整流して直流電圧に変換することにより、第１の音声信号Ｓ1の雑音レベルＬ1（以下、「第１の雑音レベルＬ1」と称する。）を求めるためのものである。
同様に、第２の整流回路１２2は、第２のハイパスフィルタ１１2を通過した第２の音声信号Ｓ2の雑音成分を整流して直流電圧に変換することにより、第２の音声信号Ｓ2の雑音レベルＬ2（以下、「第２の雑音レベルＬ2」と称する。）を求めるためのものである。
また、第３の整流回路１２3は、第３のハイパスフィルタ１１3を通過した第３の音声信号Ｓ3の雑音成分を整流して直流電圧に変換することにより、第３の音声信号Ｓ3の雑音レベルＬ3（以下、「第３の雑音レベルＬ3」と称する。）を求めるためのものである。
【００１９】
雑音レベル比較回路１３は、第１乃至第３の整流回路１２1〜１２3から入力される第１乃至第３の雑音レベルＬ1〜Ｌ3を比較して最も小さいものを求め、第１乃至第３の音声信号Ｓ1〜Ｓ3のうち雑音レベルが最も小さく明瞭度が最も良い音声信号（以下、「出力音声信号ＳOUT」と称する。）を選択するように音声信号選択回路１４を制御する選択制御信号を生成するためのものである。
【００２０】
音声信号選択回路１４は、雑音レベル比較回路１３から入力される選択制御信号に従って出力音声信号ＳOUTを選択し、選択した出力音声信号ＳOUTを無線制御電話機５に出力するためのものである。
【００２１】
以上のように構成された無線局自動選択装置１０を用いることにより、たとえば図２に示すように移動無線機２からの着信が第１の無線基地局３1を経由してあったとともに第３の無線基地局３3および無線固定局４を経由してあった場合に、第１の無線基地局３1をから受信した第１の音声信号Ｓ1の雑音レベル（第１の雑音レベルＬ1）よりも無線固定局４から受信した第２の音声信号Ｓ2の雑音レベル（第２の雑音レベルＬ2）の方が大きいときには、無線局自動選択装置１０によって第１の音声信号Ｓ1が選択されて出力音声信号ＳOUTとして無線制御電話機５に出力されるため、担当者は、無線制御電話機５のモニタ選択スイッチがすべて押されていても、明瞭度の良い音声を聞くことができる。
また、無線制御電話機５の周囲にいる他の担当者は、雑音交じりの音声が聞こえてこないため、業務に集中することができる。
【実施例２】
【００２２】
次に、本発明の第２の実施例による無線制御電話機用無線局自動選択装置２０（以下、「無線局自動選択装置２０」と称する。）について、図３および図４を参照して説明する。
本実施例による無線局自動選択装置２０は、以下に示す点で、図１に示した第１の実施例による無線局自動選択装置１０と異なる。
（１）第１乃至第３のハイパスフィルタ１１1〜１１3の代わりに、第１乃至第３の低域側バンドパスフィルタ（ＢＰＦ）２１1L〜２１3Lおよび第１乃至第３の高域側バンドパスフィルタ２１1H〜２１3Hを具備する。
（２）第１乃至第３の整流回路１２1〜１２3の代わりに、第１乃至第３の低域側整流回路２２1L〜２２3Lおよび第１乃至第３の高域側整流回路２２1H〜２２3Hを具備する。
（３）雑音レベル比較回路１３の代わりに、第１乃至第３の低域側整流回路２２1L〜２２3Lから入力される後述の第１乃至第３の低域側雑音レベルＬ1L〜Ｌ3Lと第１乃至第３の高域側整流回路２２1H〜２２3Hから入力される後述の第１乃至第３の高域側雑音レベルＬ1H〜Ｌ3Hとに基づいて第１乃至第３の音声信号Ｓ1〜Ｓ3のうち明瞭度が最も良い音声信号を選択するように音声信号選択回路２４（不図示）を制御する選択制御信号を生成する雑音レベル比較回路２３を具備する。
【００２３】
ここで、第１の低域側バンドパスフィルタ２１1Lは、図３に示すように、第１の音声信号Ｓ1の低域側雑音成分（音声帯域周波数３００Ｈｚ〜３ｋＨｚよりも高い周波数成分（たとえば、３．５〜７．５ｋＨｚの周波数成分）。以下同様。）を通過させるためのものであり、また、第１の高域側バンドパスフィルタ２１1Hは、第１の音声信号Ｓ1の高域側雑音成分（第１の低域側バンドパスフィルタ２１1Lの通過帯域よりも高い周波数成分（たとえば、８〜１２ｋＨｚの周波数成分）。以下同様。）を通過させるためのものである。
同様に、第２の低域側バンドパスフィルタ２１2L（不図示）は、第２の音声信号Ｓ2の低域側雑音成分を通過させるためのものであり、また、第２の高域側バンドパスフィルタ２１2H（不図示）は、第２の音声信号Ｓ2の高域側雑音成分を通過させるためのものである。
また、第３の低域側バンドパスフィルタ２１3L（不図示）は、第３の音声信号Ｓ3の低域側雑音成分を通過させるためのものであり、また、第３の高域側バンドパスフィルタ２１3H（不図示）は、第３の音声信号Ｓ3の高域側雑音成分を通過させるためのものである。
【００２４】
第１の低域側整流回路２２1Lは、図３に示すように、第１の低域側バンドパスフィルタ２１1Lを通過した第１の音声信号Ｓ1の低域側雑音成分を整流して直流電圧に変換することにより、第１の音声信号Ｓ1の低域側雑音レベルＬ1L（以下、「第１の低域側雑音レベルＬ1L」と称する。）を求めるためのものであり、また、第１の高域側整流回路２２1Hは、第１の高域側バンドパスフィルタ２１1Hを通過した第１の音声信号Ｓ1の高域側雑音成分を整流して直流電圧に変換することにより、第１の音声信号Ｓ1の高域側雑音レベルＬ1H（以下、「第１の高域側雑音レベルＬ1H」と称する。）を求めるためのものである。
同様にして、第２の低域側整流回路２２2L（不図示）は、第２の低域側バンドパスフィルタ２１2Lを通過した第２の音声信号Ｓ2の低域側雑音成分を整流して直流電圧に変換することにより、第２の音声信号Ｓ2の低域側雑音レベルＬ2L（以下、「第２の低域側雑音レベルＬ2L」と称する。）を求めるためのものであり、また、第２の高域側整流回路２２2H（不図示）は、第２の高域側バンドパスフィルタ２１2Hを通過した第２の音声信号Ｓ2の高域側雑音成分を整流して直流電圧に変換することにより、第２の音声信号Ｓ2の高域側雑音レベルＬ2H（以下、「第２の高域側雑音レベルＬ2H」と称する。）を求めるためのものである。
また、第３の低域側整流回路２２3L（不図示）は、第３の低域側バンドパスフィルタ２１3Lを通過した第３の音声信号Ｓ3の低域側雑音成分を整流して直流電圧に変換することにより、第３の音声信号Ｓ3の低域側雑音レベルＬ3L（以下、「第３の低域側雑音レベルＬ3L」と称する。）を求めるためのものであり、また、第３の高域側整流回路２２3H（不図示）は、第３の高域側バンドパスフィルタ２１3Hを通過した第３の音声信号Ｓ3の高域側雑音成分を整流して直流電圧に変換することにより、第３の音声信号Ｓ3の高域側雑音レベルＬ3H（以下、「第３の高域側雑音レベルＬ3H」と称する。）を求めるためのものである。
【００２５】
雑音レベル比較回路２３は、周波数変調の復調信号に含まれる雑音は強電界時には白色雑音になり弱電界時には三角雑音になることから、第１乃至第３の音声信号Ｓ1〜Ｓ3に含まれる雑音が白色雑音か三角雑音かを判定し、明瞭度は三角雑音を含む音声信号よりも白色雑音を含む音声信号の方が良いものとして、第１乃至第３の音声信号Ｓ1〜Ｓ3のうち明瞭度が最も良い音声信号（以下、「出力音声信号ＳOUT」と称する。）を選択するように音声信号選択回路２４（不図示）を制御する選択制御信号を生成する。
【００２６】
たとえば、図２に示した例では、雑音レベル比較回路２３は、以下のようにして出力音声信号ＳOUTを選択させる選択制御信号を生成する（図４参照）。
【００２７】
（１）ケース１
第１の低域側雑音レベルＬ1L≒第１の高域側雑音レベルＬ1H、かつ、第２の低域側雑音レベルＬ2L≒第２の低域側雑音レベルＬ2Hの場合には、第１の音声信号Ｓ1に含まれている雑音および第２の音声信号Ｓ2に含まれている雑音は共に白色雑音であると判定し、第１および第２の音声信号Ｓ1，Ｓ2のうち低域側雑音レベルが小さい方を選択する。
すなわち、第１の低域側雑音レベルＬ1L≦第２の低域側雑音レベルＬ2Lの場合には第１の音声信号Ｓ1を、第１の低域側雑音レベルＬ1L＞第２の低域側雑音レベルＬ2Lの場合には第２の音声信号Ｓ2を出力音声信号ＳOUTとして選択させる選択制御信号を生成する。
【００２８】
（２）ケース２
第１の低域側雑音レベルＬ1L≒第１の高域側雑音レベルＬ1H、かつ、第２の低域側雑音レベルＬ2L＜第２の低域側雑音レベルＬ2Hの場合には、第１の音声信号Ｓ1に含まれている雑音は白色雑音であり、第２の音声信号Ｓ2に含まれている雑音は三角雑音であると判定し、第１の音声信号Ｓ1を出力音声信号ＳOUTとして選択させる選択制御信号を生成する。
逆に、第１の低域側雑音レベルＬ1L＜第１の高域側雑音レベルＬ1H、かつ、第２の低域側雑音レベルＬ2L≒第２の低域側雑音レベルＬ2Hの場合には、第１の音声信号Ｓ1に含まれている雑音は三角雑音であり、第２の音声信号Ｓ2に含まれている雑音は白色雑音であると判定し、第２の音声信号Ｓ2を出力音声信号ＳOUTとして選択させる選択制御信号を生成する。
【００２９】
（３）ケース３
第１の低域側雑音レベルＬ1L＜第１の高域側雑音レベルＬ1H、かつ、第２の低域側雑音レベルＬ2L＜第２の低域側雑音レベルＬ2Hの場合には、第１の音声信号Ｓ1に含まれている雑音および第２の音声信号Ｓ2に含まれている雑音は共に三角雑音であると判定し、第１および第２の音声信号Ｓ1，Ｓ2のうち低域側雑音レベルが小さい方を選択する。
すなわち、第１の低域側雑音レベルＬ1L≦第２の低域側雑音レベルＬ2Lの場合には第１の音声信号Ｓ1を、第１の低域側雑音レベルＬ1L＞第２の低域側雑音レベルＬ2Lの場合には第２の音声信号Ｓ2を出力音声信号ＳOUTとして選択させる選択制御信号を生成する。
【符号の説明】
【００３０】
１  事業所
２  移動無線機
３1〜３3  第１乃至第３の無線基地局
４  無線固定局
５  無線制御電話機
１０，２０  無線局自動選択装置
１１1〜１１3  第１乃至第３のハイパスフィルタ
１２1〜１２3  第１乃至第３の整流回路
１３，２３  雑音レベル比較回路
１４，２４  音声信号選択回路
２１1L〜２１3L  第１乃至第３の低域側バンドパスフィルタ
２１1H〜２１3H  第１乃至第３の高域側バンドパスフィルタ
２２1L〜２２3L  第１乃至第３の低域側整流回路
２２1H〜２２3H  第１乃至第３の高域側整流回路
Ｓ1〜Ｓ3  第１乃至第３の音声信号
ＳOUT  出力音声信号
Ｌ1〜Ｌ3  第１乃至第３の雑音レベル
Ｌ1L〜Ｌ3L  第１乃至第３の低域側雑音レベル
Ｌ1H〜Ｌ3H  第１乃至第３の高域側雑音レベル
【図１】
2013026908.tif 000003
【図２】
2013026908.tif 000004
【図３】
2013026908.tif 000005
【図４】
2013026908.tif 000006